(57)【要約】      （修正有）【課題】マッサージ効果や消臭効果などの効果を促進するとともに、快適な使用を可能とする枕を提供する。また水平面以外の配置面、例えば、自動車の座席上部などの傾斜面を含む場所においても安定した配置を可能とする枕を提供する。【解決手段】チップ材などの固形物からなる枕用充填材２と、枕用充填材を収容する変形可能な収容部１とを備え、最大容量より少ない量の枕用充填材を収容して配置面に配置された収容部は、上面側から加えられる押圧力により収容部内の枕用充填材が相互に移動するとともに、配置面に対応して収容部の形状が変形する。収容部内における枕用充填材間の相互移動により、底面が傾斜面を含む配置面に沿って当接するとともに、配置面に対応して収容部の形状が変形するから、安定感のある枕の使用が可能となる。【選択図】図１
0003119662.tif 000002
【実用新案登録請求の範囲】
【請求項１】
チップ材などの固形物からなる枕用充填材と、枕用充填材を収容する変形可能な収容物とを備え、最大容量より少ない量の枕用充填材を収容して配置面に配置された収容部は、上面側から加えられる押圧力により収容部内の枕用充填材が相互に移動するとともに、配置面に対応して収容部の形状が変形する枕。
【請求項２】
チップ材などの固形物からなる枕用充填材と、枕用充填材を収容する変形可能な収容物とを備え、最大容量より少ない量の枕用充填材を収容して配置された収容部は、上面側から加えられる押圧力により収容部内の枕用充填材が相互に移動し、底面が傾斜面を含む配置面に沿って当接するとともに、配置面に対応して収容部の形状が変形する枕。
【請求項３】
枕用充填材を両端の平面部と平面部より長い湾曲面部とを有する木製の固形物により構成した請求項１、２に記載の枕。
【請求項４】
枕用充填材は断面形状を円形とし、両端部を平面部とする一方、湾曲部は両端部の近傍を両端部に向け漸次縮径し、中央部を最大径とするとともに両端部を最短径とする請求項１、２に記載の枕。
【請求項５】
収容部に最大容量より少ない量の枕用充填材を収容し、その収容量が最大容量の２／３乃至４／５である
【請求項６】
収容部における頭部に当接する一側面を布などの柔軟素材からなる緩衝材で被覆し、枕用充填材２０の頭部に対する当たりを緩和する請求項１、２に記載の枕。
【請求項７】
収容部をメッシュ製とし、光触媒として機能する二酸化チタンを付着して収容部に収容された枕用枕用充填材がメッシュ間から外側に露呈する１、２に記載の枕。
【請求項８】
収容部の外側に光触媒として機能する二酸化チタンを付着した請求項１、２に記載の枕。
【請求項９】
収容部は取り付け部材を備え、取り付け部材を介して収容部を対象物に着脱可能に取り付け、傾斜面を含む配置面における収容部の移動が阻止される請求項１、２に記載の枕。
【考案の詳細な説明】
【技術分野】
【０００１】本考案は枕、特に枕用充填材としてチップ材などの固形物を用いた枕にかんする。
【背景技術】
【０００２】木製のチップ材などの固形物を枕用充填材とする枕が開発されている。檜などのチップ材にはヒノキチオールなどの成分による消臭効果などがある。またチップ材などの固形物は籾殻などと比べ硬度が大きく頭部に対する当たりが強い。これは頭部に対するマッサージ効果を促進する効果をもつ反面、頭部に対する強い当たりを好まない人には快適な使用感の妨げとなることがある。さらに枕は通常、布団などの水平面上に配置されるが、傾斜面での使用が予定されていないため、自動車の座席上部などの傾斜面を含む場所での安定した使用は困難である。
【考案の開示】
【考案が解決しようとする課題】
【０００３】本考案はこのような問題点を解決するために創作されたものであり、木製のチップ材などの固形物を枕用充填材にするメリット、すなわちマッサージ効果や消臭効果などの効果を促進するとともに、快適な使用を可能とする枕を提供するものである。また水平面以外の配置面、例えば、自動車の座席上部などの傾斜面を含む場所においても安定した配置を可能とする枕を提供する。
【課題を解決するための手段】
【０００４】この課題を解決するため本考案にかかる枕は、チップ材などの固形物からなる枕用充填材と、枕用充填材を収容する変形可能な収容物とを備え、最大容量より少ない量の枕用充填材を収容して配置面に配置された収容部は、上面側から加えられる押圧力により収容部内の枕用充填材が相互に移動するとともに、配置面に対応して収容部の形状が変形するように構成した。【０００５】またチップ材などの固形物からなる枕用充填材と、枕用充填材を収容する変形可能な収容物とを備え、最大容量より少ない量の枕用充填材を収容して配置された収容部は、上面側から加えられる押圧力により収容部内の枕用充填材が相互に移動し、底面が傾斜面を含む配置面に沿って当接するとともに、配置面に対応して収容部の形状が変形するように構成した。
【考案の効果】
【０００６】本考案にかかる枕によれば、檜のチップ材などの固形物を枕用充填材として用いたメリット、すなわちマッサージ効果や消臭効果などを更に促進し、さらにそのデメリットを解消して快適な使用感が得られる。また自動車の座席上部の傾斜面などでの使用が可能であり、水平状態だけでなく傾斜状態での使用が可能である。
【考案を実施するための最良の形態】
【０００７】本発明を実施するための最良の形態について説明する。枕２０は収容部１を備え、収容部１には枕用充填材２である檜などのチップ材、その他の固形物が出し入れ可能に収容される。収容部１の側部にはファスナ３を取着した開口が形成され、ファスナ３の操作により開口は開閉可能である。開放状態の開口から枕用充填材２を収容部１に入れる一方、収容部１に収容されている枕用充填材２を開放状態の開口から取り出し、枕用充填材２の入れ替えを適宜に行うことができる。【０００８】収容部１の形状、大きさ、材質には制限はない。収納部１はメッシュ製４の袋状物であり、収容部１はそのまま枕として使用されるが、収容部１の周面をカバーなどで被覆して使用してもよい。例えば、頭部に当接する一側面と他側面のうち頭部に当接する一側面のみに緩衝材５が被覆されている。図７乃至９に示される収容部１において、収納部１の上下両面のうちいずれかの面部に緩衝材５が被覆されている。緩衝材５は柔軟素材からなり、例えば、厚めの布やそれを重ね合わせたカバーである。緩衝材５で被覆された一側面では枕用充填材２の頭部に対する当たりが緩和される一方、緩衝材が被覆されていない他側面では枕用充填材２の頭部に対する強めの当たりが維持される。収納部１の上下両面はそれぞれ反転可能であるから、状況に応じてあるいは好みによりいずれかの面部を頭部との当接面として用いる。【０００９】枕用充填材２には光触媒として機能する二酸化チタンを付着することができる。また収容部１、とくにその外側、例えば、側縁部９に光触媒として機能する二酸化チタンを付着することもできる。いずれの場合も、枕用充填材２の消臭機能などに加えて、光と反応する二酸化チタンの光触媒としての消臭機能などが発揮される。収容部１をメッシ製とした場合は枕用充填材２に付着された二酸化チタンに光があたりやすく、光触媒としての機能が有効に発揮される。【００１０】収容部１は取り付け部材６を備え、取り付け部材６を介して収容部１を対象物に着脱可能に取り付けられる。取り付け部材６は一対の帯状物７により構成され、基端を収納部１の側縁部９に固定し、また先端に吸着盤１０を有する。対象物の平面部分に対して吸着盤１０を吸着すると、吸着盤１０を介して収容部１が対象物に取り付けられる（図１０、１１参照、但し図１０、１１はいずれも収容部が傾斜面に取り付けられた状態を示す）。取り付け部材６の構成、構造に限定はなく紐状物や鎖状物で構成してもよい（図示せず）。紐状物により構成された取り付け部材６の場合、紐状物の先端を対象物に結び付けるなどして収容部を取り付けるから、先端における吸着盤は必ずしも必要はない（図示せず）。収容部１は取り付け部材６を介して浴槽、椅子、壁面など傾斜面を含む場所に着脱可能に取り付けられる。収容部１は帯状物７の長さの範囲内における移動は可能である一方、その以上の移動は阻止される。これにより自動車の座席上部などの傾斜面での脱落が防止され、傾斜面を含む配置面における枕の使用が可能となる。なお水平面での収容部の取り付けとその使用が可能であるのはもちろんである。【００１１】収容部１は通常、布団、マットなどの水平面に配置される。収容物１はメッシュ、布製等の袋状物であり、形状は全体的または部分的に変形可能である。収容部に枕用充填材２としてチップ材などの固形物が収容される。収容部には枕用充填材２を収容しうる最大収容量（収容部の最大容量）があり、収容部に最大容量とほぼ同量の枕用充填材２を収容すると収容部の形状が決定される。例えば、円筒形の収容部に最大容量とほぼ同量の枕用充填材を収容すると収容部は円筒形となり、収容部を押圧しても基本的には全体形状に変化はない。一方、最大容量に対する収容量が、例えば、１／３以下などその収容量が少なすぎると、収容部内の枕用充填材２の移動が大きく収容部の全体形状が安定せず、枕としての使用感を損なう。また枕に要求される所定の厚み（高さ）が確保されない。【００１２】収容部には最大容量より少ない量の枕用充填材２が収容されるが、収容量は好ましくは最大容量の２／３乃至４／５である。この範囲内に収容量を設定すると、配置面に配置された収容部の枕用充填材２は適宜な移動可能性がある。すなわち最大容量より少ない量の枕用充填材２が収容された収容部１は、上面側から加えられる押圧により収容部内の枕用充填材２が相互に移動し、配置面に対応するとともに収容部の形状が変形する。例えば、配置面上の収容部１の一側面（上面）を軽く手で押えて収容部１内の枕用充填材２を押圧する。また頭部を上面に載置するとその重みで収容部１内の枕用充填材２が自然に押圧される。押圧された枕用充填材２は下方側へとわずかに移動するとともに、その移動にともない周囲の枕用充填材２が部分的に下方側や横方向へと移動する。このような枕用充填材２間の相互移動により収容部１が全体的あるいは部分的に変形し、厚み（高さ）は押圧前に比べ小さく（低く）なって最終的には所定の形状と厚みに収束する。これにより安定感のある枕の使用が可能となる（図４乃至図７参照）。【００１３】しかし収容部が最終的に所定の形状になるということは収容部が所定の形状のまま不変であることを意味しない。所定形状は実質的に保持される一方、収容部１内の枕用充填材２間の適度な相互移動性とこれに伴う収容部の変形性は維持されるから、収容部１上の頭部の位置の変更（例えば寝返りによる頭部位置の変更）などにより枕用充填材２の部分的な移動が生じ、頭部に対するマッサージが可能である。これは頭部に対する固形物の当たりが緩和し快適な使用感を高める効果もあり、硬度が比較的大きい固形物を枕用充填材とする場合にその効果は大きい。【００１４】収容部（枕）は傾斜面１１を含む配置面１２に配置することもできる。傾斜面とは湾曲面のほか壁面のような垂直面を含む。収容部１には最大容量より少ない量の枕用充填材２が収容される。そして水平面に配置された場合と同様に、傾斜面を含む配置面上の収容部１を上面側から押圧すると、収容部１内の枕用充填材間２の相互移動により、底部１６が傾斜面１１を含む配置面１２に当接するとともに、収容部１は配置面１２に対応した形状に変形する。傾斜面１１に載置された収容部１の場合、重力により下部１５に枕用充填材２が多く集まり下部１５が大きく膨らみやすい（図示せず）。しかし上部１３が薄すぎる一方、下部は厚すぎるという収容部１の極端な厚み差は上面側からの押圧により適宜に修正され、また底部１６を含む全体が配置面１２に対応した形状に変形する。【００１５】図８、９に示される収容部１はいずれも厚みが修正されたものである。図８の収容部１においては頭部との当接面（当接部分）の厚みがほぼ均一であり、図９においては更に均一化が進み、全体的に厚みがほぼ同じである。収容部１は傾斜面１１に対応して変形するから使用感と安定感に優れた枕となる。押圧の手段としては、頭部の載置前に収容部１の一側面（上面）を軽く手で押えてもよく、また頭部を上面に当接するとともに押し付けて載置する。後者の場合、収容部内で枕用充填材が相互移動し、押圧の過程において頭部がマッサージされる。また収容部１が配置面１２配置された後も、収容部１の上面に当接する頭部をわずかに動かすことによりマッサージがなされる。【００１６】枕用充填材２は、例えば、平面部１７と平面部１７より長い湾曲面部１９とを備える。すなわち、枕用充填材２は断面形状が円形であり、両端部を平面部１７とする一方、湾曲部は両端部の近傍が両端部に向けて漸次縮径し、中央部を最大径とし、両端部を最短径とした（図１０参照）。この形状によれば、収容部１内における枕用充填材の過度の移動が抑制され、収容部１の変形が自然におこなわれる。なお収容部１は形状の変化が完遂されると、収容部の上面側および下面側に枕用充填材２における横長の湾曲面部１９が露呈し、両端部の平面部１９が露呈しないようになる（図３、７、８参照）。
【産業状の可能性】
【００１７】本考案は枕や木製の枕用充填材などの枕用充填材にかんする産業分野での利用が可能である。
【図面の簡単な説明】
【００１８】
【図１】  本考案にかかる枕であり、最大容量より少ない枕用充填材を収容した収容部を示す平面図である。
【図２】  同枕であり、配置面に載置された、押圧前の収容部を示す平面図である。
【図３】  同枕であり、配置面に載置された、押圧後の収容部を示す平面図である。
【図４】  同枕であり、配置面に載置された、押圧される収容部を示す側面図である。
【図５】  同枕であり、押圧後の収容部を示す側面図である。
【図６】  同枕であり、押圧後の上下を反転した収容部の示す側面図である。
【図７】  同枕であり、押圧後の収容部を示す底面図である。
【図８】  同枕であり、傾斜面を含む配置面に載置された押圧後の収容部を示す側面図である。
【図９】  同枕であり、傾斜面を含む配置面に載置された押圧後の他の収容部を示す側面図である。
【図１０】  同枕の枕用充填材の正面図である。
【符号の説明】
【００１９】  １  収容部
２  枕用充填材
４  メッシュ
５  緩衝材
６  帯状物
７  取り付け部材
９  側縁部
１０  吸着盤
１１  傾斜面
１２  配置面
１３  上部
１５  下部
１６  底部
１７  平面部
１９  湾曲面部
２０  枕
【図１】
0003119662.tif 000003
【図２】
0003119662.tif 000004
【図３】
0003119662.tif 000005
【図４】
0003119662.tif 000006
【図５】
0003119662.tif 000007
【図６】
0003119662.tif 000008
【図７】
0003119662.tif 000009
【図８】
0003119662.tif 000010
【図９】
0003119662.tif 000011
【図１０】
0003119662.tif 000012
【手続補正書】
【提出日】平成17年11月25日(2005.11.25)
【手続補正１】
【補正対象書類名】実用新案登録請求の範囲
【補正対象項目名】請求項５
【補正方法】変更
【補正の内容】
【請求項５】
収容部に最大容量より少ない量の枕用充填材を収容し、その収容量が最大容量の２／３乃至４／５である請求項１、２に記載の枕。